(57)【要約】      （修正有）【課題】人とリックサックの一体化を計ると共に、緊急時救助隊（服務ヘリコプター）の早急な救助が受けられる山岳地帯用リックサックを提供する。【解決手段】リックサック本体１に２本のベルト３、腹部を締め付ける腹部ベルト７、胸部を締め付ける胸部安定ベルト８、を設け、２本のベルト３を交互に股を潜らせ、先端を、ベルト３の所定位置に設けた固定クリップにそれぞれ掛け、腹部ベルトと胸部安定ベルトの締め付けによりリックサックと人体の一本化を計る。また、リックサック本体に、携帯用通信機器を取り付けるためのバンドと発煙筒を備える。【選択図】図２
0003198339.tif 000002
【実用新案登録請求の範囲】
【請求項１】
本考案のリックサックは山岳地帯での登山時リックサックに於いて、人とリックサックの一体化を計る事で、登山時緊急時態が発生した場合速やかに救助が可能な事を特徴とした安全性重視の山岳地帯用リックサック。
【請求項２】
登山時緊急時態が発生した場合速やかに救助が仰げるよう携帯用通信機器ＶＸＤ２０の周波数３５０ＭＨＺと通信距離は約４ｋｍ％Ｗ出力の機能があり、アマチュア無線の免許資格を必要としない本人の登録申請のみで使用出来る携帯用通信器を携帯する事を特徴とした請求項１記載の安全性重視の山岳地帯用リックサック。
【請求項３】
緊急時救助隊（服務ヘリコプター）に連絡する手段の一つとして発煙筒の取付は上部を外側に向ける。取扱上リック等に取付け山岳部に移動しても全く支障は生じない位置に装着する、発煙筒の一本当たりの発煙時間は１分３０秒であり有効な時間帯を選んで使用することを特徴とした請求項１記載の安全性重視の山岳地帯用リックサック。
【請求項４】
アルミプレート板図３の１３は白地に山吹色十字の上部分にＶＸＤ２０の周波数（３５９ＭＨＺ）を刻み下側に本人のリックＮＯを刻み所有者である旨を証言することを特徴とした請求項１記載の安全性重視の山岳地帯用リックサック。
【考案の詳細な説明】
【技術分野】
【０００１】  本考案のリックサックは山岳地帯での登山時リックサックの下端より２本のベルトを交互に股を潜らせ図１の６の如くリックの胸部ベルト４のリングに掛け７の腹部ベルト及び８の胸部ベルトの締付けによりリックサックと人体が一体化することにより両手足が自由に活動できる安全性重視の山岳地帯用リックサックに関する。
【背景技術】
【０００２】  従来のリックサックは主に食料品、飲料その他の必需品と登山用具等を背負い運搬することが目的である。
【考案の概要】
【考案が解決しようとする課題】
【０００３】  本考案の解決しようとする課題は人とリックサックの一体化を計る事にある。リックの上部（図２の２）の自在リングの命綱の先端５を掛け非常時の際２の１７と１２の共同安全ロープで一体化した人体とリックを吊し速かな救助を可能にする。図１の２と４のリング５の自在回転引賭金具は共に荷重１００ｋｇに耐えるものを使用。
【課題を解決するための手段】
【災難防止対策１】
【０００４】  登山時緊急時態が発生した場合速やかに救助が仰げるよう携帯用通信機器ＶＸＤ２０の周波数３５０ＭＨＺと氏名を登山口の山小屋、駐在の山岳救助隊に報告の上、同救助隊の周波数を伺いメモする事により救急時、速やかな対話ができ、早急な救助が受けられる可能性が高い。
【０００５】  携帯用通信機器ＶＸＤ２０の通信距離は約４ｋｍ％Ｗ出力の機能がありますが、アマチュア無線の免許資格を必要としない本人の登録申請のみで使用出来る得点があります。
【災難防止対策２】
【０００５】  緊急時救助隊（服務ヘリコプター）に連絡する手段の一つとして図３の１５発煙筒の取付は上部を外側に向ける。取付上リック等に取付け山岳部に異動しても全く支障は生じない。発煙筒の一本当たりの発煙時間は１分３０秒であり有効な時間帯を選んで使用する。
【０００６】  アルミプレート板図（商標登録出願中）３の１３は白地に山吹色十字の上部分にＶＸＤ２０の周波数（３５９ＭＨＺ）を刻み下側に本人のリックＮＯを刻み所有者である旨を証言する。
【考案の効果】
【０００７】  本考案は書く図に示す通り、人体とリックサックが一体化され、電波発信機ＶＸＤ２０（免許不要）で誰でも使用出来る利点あり、さらに発煙筒と併せ３本建で身の安全を図る事が出来る。
【図面の簡単な説明】
【０００８】
【図１】リックサックを背負った正面図と引掛金具
【図２】リックサック本体正面図と回転リング
【図３】リックサックを背負った左側面図
【図４】命綱と共同安全ロープ
【図５】バンド止具所評細図
【図６】安全腹帯バンド
【図７】リックサックを背負った背面図
【図８】リックサック本体の開閉図
【符号の説明】  図１  １    リックサック本体  ２    命綱様金具（リング）  ３    リック背負いベルト  ４    リック背負い固定ベルト  ５    自在回転引掛金具（戻り止）  ６    股下潜らせ４のリング  ７    腹部バンド  ８    胸部安定ベルト  ９    リック背中部補強縫込みベルト  １４  ＶＸＤ２０無線機取付バンド前後２ケ所  図２  １０  組立テントメ用ベルト  １１  寝袋用メ用ベルト  １２  共同用安全ロープ  １７  命綱１，０００〜１，２００  図３  １  “リック（フタ部分）のチャック  １６  チャック２方向開き
【図１】
0003198339.tif 000003
【図２】
0003198339.tif 000004
【図３】
0003198339.tif 000005
【図４】
0003198339.tif 000006
【図５】
0003198339.tif 000007
【図６】
0003198339.tif 000008
【図７】
0003198339.tif 000009
【図８】
0003198339.tif 000010
【手続補正書】
【提出日】平成27年1月27日(2015.1.27)
【手続補正１】
【補正対象書類名】実用新案登録請求の範囲
【補正対象項目名】全文
【補正方法】変更
【補正の内容】
【実用新案登録請求の範囲】
【請求項１】
山岳地帯用リックサックにおいて、リックサック本体（１）に２本のベルト（３，３）、腹部を締め付ける腹部ベルト（７）、胸部を締め付ける胸部安定ベルト（８）、を設け、前期２本のベルト（３，３）を交互に股を潜らせ、前記２本のベルト（３，３）の先端を、前記ベルト（３，３）の所定位置に設けた固定リングにそれぞれ掛け、前記腹部ベルト（７）と前記胸部安定ベルト（８）の締め付けによりリックサックと人体の一本化を計ることを特徴とする山岳地帯用リックサック。
【請求項２】
前記リックサック本体（１）に、携帯用通信機器ＶＸＤ２０をとりつけるためのバンドを備えたことを特徴とする山岳地帯用リックサック。
【請求項３】
発煙筒（１５）を備える事を特徴とする請求項１記載の山岳地帯用リックサック。
【請求項４】
アルミプレート板図３の１３は白地に山吹色十字の上部分にＶＸＤ２０の周波数（３５９ＭＨＺ）を刻み下側に本人のリックＮｏを刻み所有者である旨を証言することを特徴とした請求項１記載の安全性重視の山岳地帯用リックサック。
【手続補正書】
【提出日】平成27年4月2日(2015.4.2)
【手続補正１】
【補正対象書類名】実用新案登録請求の範囲
【補正対象項目名】全文
【補正方法】変更
【補正の内容】
【実用新案登録請求の範囲】
【請求項１】
山岳地帯用リックサックにおいて、リックサック本体（１）に２本のベルト（３，３）、腹部を締め付ける腹部ベルト（７）、胸部を締め付ける胸部安定ベルト（８）、を設け、前記２本のベルト（３，３）を交互に股を潜らせ、前記２本のベルト（３，３）の先端を、前記ベルト（３，３）の所定位置に設けた固定クリップにそれぞれ掛け、前記腹部ベルト（７）と前記胸部安定ベルト（８）の締め付けによりリックサックと人体の一本化を計ることを特徴とする山岳地帯用リックサック。
【請求項２】
前記リックサック本体（１）に、携帯用通信機器を取り付けるためのバンドを備えたことを特徴とする請求項１記載の山岳地帯用リックサック。
【請求項３】
発煙筒（１５）を備える事を特徴とする請求項１記載の山岳地帯用リックサック。
【請求項４】
前記リックサック本体（１）にアルミプレート板（１３）を備え、当該アルミプレート板（１３）は白地に山吹色十字の上部分に携帯用通信機器の周波数を刻み下側に本人のリックＮｏを刻み所有者である旨を証言することを特徴とした請求項１記載の安全重視に山岳地帯用リックサック。